(57)【特許請求の範囲】
【請求項１】
多数の係合突起を有するフックテープをシート基材上に固定したファスニングテープが、吸収体を含む長方形状の吸収性本体の背側部の両側縁それぞれから延出する伸縮性ウエストパネルに固定された使い捨ておむつであって、
前記ファスニングテープの重心が前記伸縮性ウエストパネルの重心よりも前記吸収性本体の長手方向上方に位置しており、
前記フックテープと前記シート基材とが固定された第１固定部と、前記ファスニングテープと前記伸縮性ウエストパネルとが固定された第２固定部とは重なっておらず、
前記第１固定部における前記吸収性本体の長手方向下端縁と前記シート基材における前記吸収性本体の長手方向下端縁とは一致しており、
前記第２固定部における前記吸収性本体の長手方向下端縁は、前記第１固定部の前記長手方向下端縁よりも前記吸収性本体の長手方向上方に位置しており、該第２固定部における前記シート基材の前記長手方向下端縁から離間し、
前記ファスニングテープと前記伸縮性ウエストパネルとは、前記第２固定部を介して固定されており、該第２固定部の前記長手方向下端縁と該ファスニングテープを構成する前記シート基材の前記長手方向下端縁との間では固定されていない使い捨ておむつ。
【請求項２】
前記シート基材は、前記吸収性本体の幅方向に長い長方形状である請求項１に記載の使い捨ておむつ。
【請求項３】
前記第１固定部における前記吸収性本体の長手方向に延びる内側縁と前記第２固定部における前記吸収性本体の長手方向に延びる外側縁とが一致し接している請求項１又は２に記載の使い捨ておむつ。
【請求項４】
前記第１固定部における前記吸収性本体の長手方向に延びる内側縁の最下端点及び前記第２固定部における前記吸収性本体の長手方向に延びる外側縁の最下端点を結ぶ直線と、前記吸収性本体の幅方向に延びる中心線に平行な仮想直線とのなす角が、３０〜９０°である請求項１〜３の何れか１項に記載の使い捨ておむつ。
【発明の詳細な説明】
【技術分野】
【０００１】
本発明は、使い捨ておむつに関する。
【背景技術】
【０００２】
従来より、吸収性本体の両側縁それぞれから延出する伸縮性ウエストパネルを有する使い捨ておむつが知られている。例えば、特許文献１には、伸張性積層体から形成された耳部が、トップシート、バックシート、及びトップシートとバックシートとの間に配された吸収性コアを含むシャーシに接合されて形成されたおむつが記載されており、耳部には、係合部材が配されていることが記載されている。
【０００３】
しかし、特許文献１に記載のおむつは、着用時に耳部が伸縮を繰り返すことによって、耳部に配された係合部材が剥がれ易い。例えば、このように、耳部に配された係合部材が剥がれると、係合部材の角が着用者の肌に接触し、肌を傷つけてしまう恐れがある。
【先行技術文献】
【特許文献】
【０００４】
【特許文献１】特表２００９−５２３５２４号公報
【発明の概要】
【発明が解決しようとする課題】
【０００５】
したがって、本発明の課題は、前述した従来技術が有する欠点を解消し得る使い捨ておむつを提供することにある。
【課題を解決するための手段】
【０００６】
本発明は、多数の係合突起を有するフックテープをシート基材上に固定したファスニングテープが、吸収体を含む長方形状の吸収性本体の背側部の両側縁それぞれから延出する伸縮性ウエストパネルに固定された使い捨ておむつであって、前記ファスニングテープの重心が前記伸縮性ウエストパネルの重心よりも前記吸収性本体の長手方向上方に位置しており、前記フックテープと前記シート基材とが固定された第１固定部と、前記ファスニングテープと前記伸縮性ウエストパネルとが固定された第２固定部とは重なっておらず、前記第１固定部における前記吸収性本体の長手方向下端縁と前記シート基材における前記吸収性本体の長手方向下端縁とは一致しており、前記第２固定部における前記吸収性本体の長手方向下端縁は、前記第１固定部の前記長手方向下端縁よりも前記吸収性本体の長手方向上方に位置しており、前記シート基材の前記長手方向下端縁から離間している使い捨ておむつを提供するものである。
【発明の効果】
【０００７】
本発明の使い捨ておむつによれば、フックテープがシート基材から剥がれ難く、着用者の肌を傷つけ難く、使用感が向上する。
【図面の簡単な説明】
【０００８】
【図１】図１は、本発明の第１実施形態である展開型の使い捨ておむつを伸長させて拡げた状態を表面シート側から見た平面図である。
【図２】図２は、図１の展開型の使い捨ておむつの有する伸縮性ウエストパネルの拡大平面図である。
【図３】図３は、図１の展開型の使い捨ておむつを着用した際の伸縮性ウエストパネルの状態を示す拡大平面図である。
【図４】図４は、本発明の第２実施形態である展開型の使い捨ておむつの有する伸縮性ウエストパネルの拡大平面図である（図２相当図）。
【図５】図５は、本発明の第３実施形態である展開型の使い捨ておむつの有する伸縮性ウエストパネルの拡大平面図である（図２相当図）。
【図６】図６は、本発明の第４実施形態である展開型の使い捨ておむつの有する伸縮性ウエストパネルの拡大平面図である（図２相当図）。
【図７】図７は、比較例１の使い捨ておむつの有する伸縮性ウエストパネルの拡大平面図である（図２相当図）。
【図８】図８は、比較例２の使い捨ておむつの有する伸縮性ウエストパネルの拡大平面図である（図２相当図）。
【図９】図９は、比較例３の使い捨ておむつの有する伸縮性ウエストパネルの拡大平面図である（図２相当図）。
【図１０】図１０は、比較例４の使い捨ておむつの有する伸縮性ウエストパネルの拡大平面図である（図２相当図）。
【図１１】図１１は、比較例５の使い捨ておむつの有する伸縮性ウエストパネルの拡大平面図である（図２相当図）。
【発明を実施するための形態】
【０００９】
以下、本発明の使い捨ておむつを、その好ましい第１実施形態に基づき図面を参照しながら説明する。
第１実施形態の使い捨ておむつ１Ａ（以下、「おむつ１Ａ」ともいう。）は、図１に示すように、多数の係合突起を有するフックテープ４１をシート基材４２上に固定したファスニングテープ４が、吸収体２３を含む長方形状の吸収性本体２の背側部Ｂの両側縁２ｓ１，２ｓ１それぞれから延出する伸縮性ウエストパネル３に固定された使い捨ておむつである。
おむつ１Ａは、図１に示すように、中心線ＣＬに対して左右対称に形成されている。従って以下の説明では、左右対称な部分については、主に、左側について説明する。
尚、各図中に示す「Ｙ」方向は、おむつ１Ａの長手方向であり、中心線ＣＬに平行な方向であり、各図中に示す「Ｘ」方向は、おむつ１Ａの幅方向であり、中心線ＣＬに垂直な方向である。以下、具体的に、おむつ１Ａについて説明する。
【００１０】
おむつ１Ａは、図１に示すように、着用時に着用者の腹側に位置する腹側部Ａ、背側に位置する背側部Ｂ、及び腹側部Ａと背側部Ｂとの間に位置する股下部Ｃを有する吸収性本体２と、吸収性本体２の背側部Ｂの両側縁２ｓ１，２ｓ１それぞれから延出する伸縮性ウエストパネル３，３とを有する展開型の使い捨ておむつである。
【００１１】
吸収性本体２は、図１に示すように、平面状に拡げた状態において、長方形状である。長方形状の吸収性本体２は、図１に示すように、液透過性の表面シート２１と、液不透過性又は撥水性の裏面シート２２と、これら両シート２１，２２間に介在された液保持性の吸収体２３とを有している。吸収性本体２は、図１に示すように、おむつ１の内面をなす表面シート２１と、おむつ１の外面をなす裏面シート２２とを、これら両シート２１，２２間に吸収体２３を介在させて接合することにより形成されている。また、表面シート２１は、図１に示すように、Ｘ方向の長さが裏面シート２２のＸ方向の長さよりも短く形成されている。吸収性本体２には、図１に示すように、Ｙ方向の両側部２ｓ，２ｓそれぞれに、表面シート２１を介してサイドシート２４が配されている。
【００１２】
サイドシート２４は、図１に示すように、表面シート２１の肌対向面であって、Ｙ方向の側部全域に亘って配設固定されている。各サイドシート２４のＸ方向の内方（中心線ＣＬ寄り）の端部は、図１に示すように、自由端となっており、股下部Ｃにおける自由端近傍には立体ギャザー形成用の弾性部材２５が長手方向（Ｙ方向）に伸長状態で配設固定されており、着用時には、その弾性部材の収縮力により、自由端から所定幅の部分が表面シート２１から離間して立体ギャザーを形成する。また、吸収性本体２の両側部２ｓ，２ｓには、図１に示すように、Ｘ方向の外方に延出したサイドシート２４と裏面シート２２とが接合され、フラップ部が形成されている。股下部Ｃにおけるフラップ部には、レッグギャザー形成用の弾性部材２６が長手方向（Ｙ方向）に伸長状態で配設固定されており、着用時には、その弾性部材の収縮力により、レッグギャザーが形成される。
【００１３】
伸縮性ウエストパネル３としては、２枚の不織布の間に、エラストマーフィルム、エラストマーからなるネット、複数本の糸状の糸状弾性体等を配設固定した複合体を用いることができ、おむつ１Ａにおいては、図１に示すように、２枚の不織布の間に複数本の糸状の糸状弾性体を配設固定した複合体を用いている。尚、糸状弾性体には、断面が略円形、正方形状のものの他、断面矩形等の細幅帯状のものも含まれる。おむつ１Ａの伸縮性ウエストパネル３は、図１，図２に示すように、平面状に拡げた状態において、長方形状である。おむつ１Ａの伸縮性ウエストパネル３は、図２に示すように、２枚のシート３１，３２と、２枚のシート３１，３２の間に伸長した状態で配された複数本の略円形断面の糸状弾性体３３とを有している。おむつ１Ａの伸縮性ウエストパネル３は、同形同大の長方形状の２枚のシート３１，３２の間に、Ｘ方向に伸長した糸状弾性体３３を、Ｙ方向に略等間隔を空けて配して、接着剤や融着等の手段により一体的に固定して形成されている。このように形成されたおむつ１Ａの伸縮性ウエストパネル３は、そのＸ方向内方側（中心線ＣＬ側）の端部が接着剤や融着等の公知の手段により吸収性本体２の背側部Ｂに固定され、背側部ＢのＸ方向外方に連設されている。
【００１４】
ファスニングテープ４は、多数の係合突起を有するフックテープ４１とシート基材４２とを有し、シート基材４２の一方の面にフックテープ４１を固定して形成されている。シート基材４２は、おむつ１Ａにおいては、図１，図２に示すように、吸収性本体２の幅方向（Ｘ方向）に長い長方形状である。即ち、おむつ１Ａのシート基材４２は、シート基材４２におけるＹ方向の両端縁、具体的には、上端縁４２ｂ及び下端縁４２ａそれぞれが、吸収性本体２の幅方向（Ｘ方向）に平行に延びるＸ方向に長い長方形状である。このような長方形状のシート基材４２の肌対向面にフックテープ４１を固定して形成されたファスニングテープ４が、伸縮性ウエストパネル３に固定されている。尚、シート基材４２が長方形状であると、ファスニングテープ４の連続体をカットして各ファスニングテープ４を製造する際に簡単に製造でき、材料ロスを抑えることできる。
【００１５】
本発明の使い捨ておむつにおいては、図２に示すように、ファスニングテープ４の重心Ｇ１が伸縮性ウエストパネル３の重心Ｇ２よりも吸収性本体２の長手方向（Ｙ方向）上方に位置しており、おむつ１Ａにおいては、図２に示すように、ファスニングテープ４の全体が、伸縮性ウエストパネル３の重心Ｇ２よりも長手方向（Ｙ方向）上方に位置している。尚、前記のように、おむつ１Ａにおいては、ファスニングテープ４の全体が伸縮性ウエストパネル３の重心Ｇ２よりも長手方向（Ｙ方向）上方に位置しているが、ファスニングテープ４の全体が上方に位置していなくてもよく、ファスニングテープ４の重心Ｇ１が伸縮性ウエストパネル３の重心Ｇ２よりも長手方向（Ｙ方向）上方に位置していればよい。
【００１６】
本発明の使い捨ておむつは、図１，図２に示すように、フックテープ４１とシート基材４２とが固定された第１固定部６と、ファスニングテープ４と伸縮性ウエストパネル３とが固定された第２固定部７とを有している。第１固定部６と、第２固定部７とは重なっておらず、おむつ１Ａにおいては、図２に示すように、Ｘ方向に間隔ｄ１を空けて離間している。間隔ｄ１が長くなると、おむつ着用時にフックテープ４１と、ファスニングテープ４及び伸縮性ウエストパネル３が固定された第２固定部７との間で図２のＹ方向への湾曲が起こりやすくなり、これによっておむつ着用時でのフィット性を損ねる。間隔ｄ１が０ｍｍより小さくなる（即ち、第１固定部６と第２固定部７とが重なる場合）と、おむつ着用時にフックテープ４１にかかる伸縮性ウエストパネル３の収縮力が第１固定部６の内側縁６Ｓのみならずフックテープ４１の上端縁４１ｂならびに下端縁４１ａにもかかることになり、その結果フックテープ４１の上端縁４１ｂならびに下端縁４１ａの反り返りが生じる。着用中にフックテープ４１の上端縁４１ｂならびに下端縁４１ａが反り返ると、この反り返り部分がおむつの上に着用する服等に引っかかり、着用中にフックテープ４１がターゲットシートから剥がれる起因となり好ましくない。このような観点から間隔ｄ１は０〜２０ｍｍが好ましい。
【００１７】
図２に示すように、第１固定部６における吸収性本体２の長手方向（Ｙ方向）下端縁６ａとシート基材４２における吸収性本体２の長手方向（Ｙ方向）下端縁４２ａとは一致している。具体的には、おむつ１Ａのフックテープ４１は、図２に示すように、Ｙ方向に長い長方形状である。図２に示すように、フックテープ４１におけるＹ方向の上端縁４１ｂ及び下端縁４１ａそれぞれと、シート基材４２におけるＹ方向の上端縁４２ｂ及び下端縁４２ａそれぞれとが同一形状であり、Ｙ方向に同じ位置に配されているため、フックテープ４１の上端縁４１ｂ及び下端縁４１ａそれぞれと、シート基材４２の上端縁４２ｂ及び下端縁４２ａそれぞれとは一致している。また、フックテープ４１の全面がシート基材４２の一方の面（肌対向面）に固定されている。そのため、図２に示すように、第１固定部６のＹ方向の上端縁６ｂ及び下端縁６ａそれぞれと、シート基材４２のＹ方向の上端縁４２ｂ及び下端縁４２ａそれぞれとが一致している。図２に示すように、おむつ１Ａの第１固定部６は、おむつ１Ａのフックテープ４１と同一形状であり、Ｙ方向に長い長方形状に形成されている。
【００１８】
図２に示すように、第２固定部７における吸収性本体２の長手方向（Ｙ方向）下端縁７ａは、第１固定部６の吸収性本体２の長手方向（Ｙ方向）下端縁６ａよりも吸収性本体２の長手方向（Ｙ方向）上方に位置しており、シート基材４２の吸収性本体２の長手方向（Ｙ方向）下端縁４２ａから離間している。具体的には、図２に示すように、ファスニングテープ４と伸縮性ウエストパネル３との固定は、ファスニングテープ４のＸ方向内方側（中心線ＣＬ側）の端部全域が伸縮性ウエストパネル３に固定されているのではなく、一部の領域である第２固定部７を介して固定されている。図２に示すように、第２固定部７のＹ方向の下端縁７ａと第１固定部６のＹ方向の下端縁６ａとは、Ｙ方向に同じ位置に配されておらず、第２固定部７のＹ方向の下端縁７ａが第１固定部６のＹ方向の下端縁６ａよりもＹ方向の上方に位置しており、第２固定部７のＹ方向の下端縁７ａがシート基材４２のＹ方向の下端縁４２ａから間隔ｄ２を空けて離間している。尚、第２固定部７のＹ方向の上端縁７ｂとシート基材４２のＹ方向の上端縁４２ｂとは一致している。言い換えれば、ファスニングテープ４と伸縮性ウエストパネル３とは、第２固定部７を介して固定されているが、第２固定部７の下端縁７ａとシート基材４２の下端縁４２ａとの間では固定されていない。図２に示すように、おむつ１Ａの第２固定部７は、Ｙ方向に長い長方形状に形成されている。
【００１９】
第１固定部６における吸収性本体２の長手方向（Ｙ方向）内側縁６ｓの最下端点α及び第２固定部７における吸収性本体２の長手方向（Ｙ方向）外側縁７ｓの最下端点βを結ぶ直線と、吸収性本体２の幅方向（Ｘ方向）に延びる中心線ＣＷに平行な仮想直線とのなす角γは、３０〜９０°であることが好ましく、６０〜９０°であることが更に好ましい。なす角γの好ましい範囲の理由について、以下具体的に説明する。おむつ着用時及び着用中には胴回り方向に伸縮ウエストパネル３の収縮力がファスニングテープ４に常にかかることになる。また、ファスニングテープ４の重心Ｇ１が伸縮性ウエストパネル３の重心Ｇ２よりも吸収性本体２の長手方向（Ｙ方向）上方に位置しているので、ファスニングテープ４の上端側よりも下端側の方により収縮力が掛かることになる。また、第１固定部６におけるフックテープ４１の下端縁４１ａの、シート基材４２の下端縁４２ａからの剥がれは、シート基材４２の下端縁４２ａ、特に第１固定部６における吸収性本体２の長手方向（Ｙ方向）内側縁６ｓの最下端点αでの延びによって引き起こされ易い。しかし、最下端点αでは上記の角γが９０°に近くなるに連れて伸縮ウエストパネル３の収縮力が掛かり難くなるため、フックテープ４１の下端縁４１ａがシート基材４２の下端縁４２ａから剥がれ難くなり、おむつ着用時及び着用中のフックテープ４１とシート基材４２との剥がれを防止できるからである。
第２固定部７の下端縁７ａとシート基材４２の下端縁４２ａとの間隔ｄ２は、２〜２０ｍｍであることが好ましく、５〜１５ｍｍであることが更に好ましい。シート基材４２のＹ方向の長さＬに対する間隔ｄ２の比（ｄ２／Ｌ）は、５０〜９０であることが好ましく、６５〜７５であることが更に好ましい。
【００２０】
また、おむつ１Ａは、吸収性本体２の腹側部Ａの裏面シート２２上に、ファスニングテープ４と係合するターゲットシート（不図示）を有している。
【００２１】
おむつ１Ａの形成材料について説明する。
吸収性本体２を構成する表面シート２１、裏面シート２２としては、それぞれ、通常、使い捨ておむつ等の吸収性物品に用いられるものであれば、特に制限なく用いることができる。例えば、表面シート２１としては、親水性且つ液透過性の不織布等を用いることができ、裏面シート２２としては、液不透過性又は撥水性の樹脂フィルムや樹脂フィルムと不織布の積層体等を用いることができる。吸収体２３としては、パルプ繊維等の繊維の集合体（不織布であっても良い）又はこれに吸水性ポリマーの粒子を保持させてなる吸収性コアを、透水性の薄紙や不織布からなるコアラップシートで被覆したもの等を用いることができる。立体ギャザーを形成するサイドシート２４としては、伸縮性のフィルム、不織布、織物またはそれらの積層シート等を用いることができる。
立体ギャザー形成用の弾性部材２５及びレッグギャザー形成用の弾性部材２６としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００２２】
伸縮性ウエストパネル３を構成するシート３１，３２としては、通常、使い捨ておむつ等の吸収性物品に用いられるものであれば、特に制限なく用いることができる。具体的には、シート３１，３２としては、撥水性の不織布、例えば、スパンボンド不織布（Ｓ）とメルトブロー不織布（Ｍ）が特定の層順で積層されて複合化されたシート（例えばＳＭ、ＳＭＳ、ＳＭＭＳなど）等を用いることができる。伸縮性ウエストパネル３を構成する糸状弾性体３３としては、天然ゴム（又は合成ゴム）、ポリウレタンのスパンデックス弾性繊維等を用いることができる。
【００２３】
糸状弾性体３３として天然ゴム（合成ゴム）を用いる場合には、厚みが０．２〜１．５ｍｍ、幅が０．５〜２ｍｍの弾性体が用いられる。このような天然ゴム（合成ゴム）は、単糸での１００％伸長時の応力が５〜６５ｇｆであることが好ましく、１５〜５０ｇｆであることが好ましい。このような応力の天然ゴム（合成ゴム）の単糸を、１００％以上、特に１５０％以上の伸長倍率となるように配することが好ましい。尚、伸長倍率は、自然長に対する、伸長されて増加した分の長さの割合であり、例えば、長さ１０ｃｍのものを２０ｃｍに伸長するとその伸長率は１００％とされる。
糸状弾性体３３としてポリウレタンのスパンデックス弾性繊維を用いる場合には、単糸のサイズが３００〜１５００デシテックスのもの、特に５００〜１２００デシテックスのものを好ましく用いることができる。デシテックスは糸の太さを表す単位であり、１００００ｍで１ｇある糸を１デシテックスと呼ぶ。このようなスパンデックス弾性繊維を、１００％以上、特に１５０％以上の伸長倍率となるように配することが好ましい。
【００２４】
ファスニングテープ４を構成するシート基材４２としては、通常、使い捨ておむつ等の吸収性物品に用いられるものであれば、特に制限なく用いることができる。例えば、シート基材４２としては、撥水性の不織布等を用いることができる。ファスニングテープ４を構成する多数の係合突起を有するフックテープ４１としては、通常、使い捨ておむつ等の吸収性物品に用いられるものであれば、特に制限なく用いることができる。例えば、フックテープ４１の係合突起としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。ターゲットシート（不図示）としては、係合突起を押しつけることにより、係合突起を止着可能なものを特に制限なく用いることができる。例えば、例えば上述した各種公知の機械的面ファスナーにおけるメス部材や係合性に富む不織布を用いることができる。
【００２５】
表面シート２１、裏面シート２２、サイドシート２４及びターゲットシート（不図示）の固定には、通常、使い捨ておむつ等の吸収性物品に用いられる接着剤が用いられる。
また、フックテープ４１とシート基材４２との固定（第１固定部６）、ファスニングテープ４と伸縮性ウエストパネル３との固定（第２固定部７）には、通常、使い捨ておむつ等の吸収性物品に用いられる接着剤やヒートエンボス、超音波エンボス、高周波エンボス等の融着手段が用いられる。
【００２６】
次に上述した本発明の第１実施形態の使い捨ておむつ１Ａを使用した際の作用効果について説明する。
おむつ１Ａは、図１，図２に示すように、ファスニングテープ４の重心Ｇ１が伸縮性ウエストパネル３の重心Ｇ２よりもＹ方向上方に位置するようにファスニングテープ４が配されて形成されており、第１固定部６と第２固定部７とが重なっていない。また、おむつ１Ａは、図１，図２に示すように、第１固定部６のＹ方向下端縁６ａとシート基材４２のＹ方向下端縁４２ａとが一致し、第２固定部７のＹ方向下端縁７ａが、第１固定部６のＹ方向下端縁６ａよりもＹ方向上方に位置し、シート基材４２のＹ方向下端縁４２ａから離間して形成されている。このように形成されたおむつ１Ａを着用すると、図３に示すように、着用時及び着用中に、ファスニングテープ４には、伸縮性ウエストパネル３による胴周り方向の収縮力が常に掛かるようになる。しかし、第２固定部７の下端縁７ａが、第１固定部６の下端縁６ａよりも上方に位置し、シート基材４２の下端縁４２ａから離間しているので、図３に示すように、着用時及び着用中のファスニングテープ４を構成するシート基材４２の下端縁４２ａには、伸縮性ウエストパネル３による胴周り方向の収縮力が掛かり難く、下端縁４２ａが延び難い。また、第１固定部６の下端縁６ａにも前記胴周り方向の収縮力が掛かり難い。従って、シート基材４２の下端縁４２ａ及び第１固定部６の下端縁６ａへの前記胴周り方向の収縮力が集中し難く、フックテープ４１の下端縁４１ａがシート基材４２の下端縁４２ａから剥がれ難く、着用者の肌を傷つけ難く、使用感が向上する。
【００２７】
次に、本発明の第２実施形態の使い捨ておむつについて、図４に基づいて説明する。
第２実施形態の使い捨ておむつ１Ｂ（以下、「おむつ１Ｂ」ともいう）については、第１実施形態の使い捨ておむつ１Ａと異なる点について説明する。特に説明しない点は、おむつ１Ａと同様であり、おむつ１Ａの説明が適宜適用される。
【００２８】
おむつ１Ｂにおいては、図４に示すように、第１固定部６における吸収性本体２の長手方向（Ｙ方向）内側縁６ｓと第２固定部７における吸収性本体２の長手方向（Ｙ方向）外側縁７ｓとが一致し接しているが、第１固定部６と、第２固定部７とは重なっていない。具体的には、図４に示すように、フックテープ４１におけるＹ方向の内側縁４１ｓ及び伸縮性ウエストパネル３におけるＹ方向の外側縁３ｓそれぞれが同一形状であり、Ｘ方向に同じ位置に配されているため、フックテープ４１の内側縁４１ｓと伸縮性ウエストパネル３の外側縁３ｓとは一致している。また、フックテープ４１の全面がシート基材４２の一方の面（肌対向面）に固定されている。そのため、図４に示すように、第１固定部６のＹ方向の内側縁６ｓと、第２固定部７のＹ方向の外側縁７ｓとが一致しており、間隔ｄ１は０ｍｍである。
【００２９】
尚、図４に示すおむつ１Ｂにおいては、第１固定部６における吸収性本体２の長手方向（Ｙ方向）内側縁６ｓの最下端点α及び第２固定部７における吸収性本体２の長手方向（Ｙ方向）外側縁７ｓの最下端点βを結ぶ直線と、吸収性本体２の幅方向（Ｘ方向）に延びる中心線ＣＷに平行な仮想直線とのなす角γは９０°である。
【００３０】
第２実施形態の使い捨ておむつ１Ｂの形成材料について説明する。第２実施形態の使い捨ておむつ１Ｂについては、第１実施形態の使い捨ておむつ１Ａの形成材料と同様である。
【００３１】
上述した本発明の第２実施形態の使い捨ておむつ１Ｂを使用した際の作用効果について説明する。
第２実施形態の使い捨ておむつ１Ｂの効果については、第１実施形態の使い捨ておむつ１Ａの効果と異なる点について説明する。特に説明しない点は、第１実施形態の使い捨ておむつ１Ａの効果と同様であり、第１実施形態の使い捨ておむつ１Ａの効果の説明が適宜適用される。
【００３２】
おむつ１Ｂは、図４に示すように、なす角γが９０°であり、第１固定部６の内側縁６ｓと第２固定部７の外側縁７ｓとが一致するように形成されている。その為、着用時及び着用中の伸縮性ウエストパネル３による胴周り方向の収縮力が、第１固定部６の長手方向（Ｙ方向）内側縁６ｓの最下端点αに集中し難く、フックテープ４１がシート基材４２から更に剥がれ難く、着用者の肌を傷つけ難く、使用感が向上する。
【００３３】
次に、本発明の第３実施形態の使い捨ておむつについて、図５に基づいて説明する。
第３実施形態の使い捨ておむつ１Ｃ（以下、「おむつ１Ｃ」ともいう）については、第１実施形態の使い捨ておむつ１Ａと異なる点について説明する。特に説明しない点は、おむつ１Ａと同様であり、おむつ１Ａの説明が適宜適用される。
【００３４】
おむつ１Ｃにおいては、図５に示すように、シート基材４２が台形状に形成されている。おむつ１Ｃの台形状のシート基材４２は、図５に示すように、Ｘ方向外方側の上底の長さが内方側（中心線ＣＬ側）の下底の長さよりも短く、シート基材４２の上端縁４２ｂが吸収性本体２の幅方向（Ｘ方向）に平行に延びている。おむつ１Ｃのシート基材４２は、図５に示すように、上端縁４２ｂと下端縁４２ａとの間隔がＸ方向外方に向かって漸次短くなっている。
【００３５】
おむつ１Ｃのフックテープ４１は、図５に示すように、上端縁４１ｂがＸ方向に平行に延び、Ｘ方向外方側の上底の長さが内方側（中心線ＣＬ側）の下底の長さよりも短い台形状である。図５に示すように、フックテープ４１におけるＹ方向の上端縁４１ｂ及び下端縁４１ａそれぞれと、シート基材４２におけるＹ方向の上端縁４２ｂ及び下端縁４２ａそれぞれとが同一形状であり、Ｙ方向に同じ位置に配されているため、フックテープ４１の上端縁４１ｂ及び下端縁４１ａそれぞれと、シート基材４２の上端縁４２ｂ及び下端縁４２ａそれぞれとは一致している。また、フックテープ４１の全面がシート基材４２の一方の面（肌対向面）に固定されている。そのため、図５に示すように、第１固定部６のＹ方向の上端縁６ｂ及び下端縁６ａそれぞれと、シート基材４２のＹ方向の上端縁４２ｂ及び下端縁４２ａそれぞれとが一致している。具体的には、おむつ１Ｃの第１固定部６は、おむつ１Ｃのフックテープ４１と同一形状であり、上端縁６ｂがＸ方向に平行に延び、Ｘ方向外方側の上底の長さが内方側（中心線ＣＬ側）の下底の長さよりも短い台形状に形成されており、おむつ１Ｃの第１固定部６は、上端縁６ｂと下端縁６ａとの間隔がＸ方向外方に向かって漸次短くなっている。
【００３６】
図５に示すように、第２固定部７における吸収性本体２の長手方向（Ｙ方向）下端縁７ａは、第１固定部６の吸収性本体２の長手方向（Ｙ方向）下端縁６ａよりも吸収性本体２の長手方向（Ｙ方向）上方に位置しており、シート基材４２の吸収性本体２の長手方向（Ｙ方向）下端縁４２ａから離間している。図５に示すように、おむつ１Ｃの第２固定部７は、Ｙ方向に長い長方形状に形成されている。上述したように、おむつ１Ｃの第１固定部６は、Ｘ方向外方側の上底の長さが内方側（中心線ＣＬ側）の下底の長さよりも短い台形状に形成されている。その為、おむつ１Ｃの第２固定部７の下端縁７ａは、図５に示すように、おむつ１Ｃの第１固定部６の下端縁６ａの中で最もＹ方向の最上方に位置する点（下端縁６ａにおけるＸ方向最外方点）よりもＹ方向上方に位置している。
【００３７】
第３実施形態の使い捨ておむつ１Ｃの形成材料について説明する。第３実施形態の使い捨ておむつ１Ｃについては、第１実施形態の使い捨ておむつ１Ａの形成材料と同様である。
【００３８】
上述した本発明の第３実施形態の使い捨ておむつ１Ｃを使用した際の作用効果について説明する。
第３実施形態の使い捨ておむつ１Ｃの効果については、第１実施形態の使い捨ておむつ１Ａの効果と異なる点について説明する。特に説明しない点は、第１実施形態の使い捨ておむつ１Ａの効果と同様であり、第１実施形態の使い捨ておむつ１Ａの効果の説明が適宜適用される。
【００３９】
おむつ１Ｃは、図５に示すように、シート基材４２の下端縁４２ａがＸ方向（幅方向）と平行でなく、Ｘ方向外側に行くに従い上方に位置するように傾いた直線となるよう形成されている。その為、ファスニングテープ４が着用中に着用者が脚を引き上げる動作を阻害し難い形状となっており、使用感が向上する。
【００４０】
次に、本発明の第４実施形態の使い捨ておむつについて、図６に基づいて説明する。
第４実施形態の使い捨ておむつ１Ｄ（以下、「おむつ１Ｄ」ともいう）については、第１実施形態の使い捨ておむつ１Ａと異なる点について説明する。特に説明しない点は、おむつ１Ａと同様であり、おむつ１Ａの説明が適宜適用される。
【００４１】
おむつ１Ｄにおいては、図６に示すように、シート基材４２が台形状に形成されている。おむつ１Ｄの台形状のシート基材４２は、図６に示すように、Ｘ方向外方側の上底の長さが内方側（中心線ＣＬ側）の下底の長さよりも短く、おむつ１Ｄのシート基材４２は、図６に示すように、上端縁４２ｂと下端縁４２ａとの間隔がＸ方向外方に向かって漸次短くなっている。
【００４２】
おむつ１Ｄのフックテープ４１は、図６に示すように、Ｘ方向外方側の上底の長さが内方側（中心線ＣＬ側）の下底の長さよりも短い台形状である。図６に示すように、フックテープ４１におけるＹ方向の上端縁４１ｂ及び下端縁４１ａそれぞれと、シート基材４２におけるＹ方向の上端縁４２ｂ及び下端縁４２ａそれぞれとが同一形状であり、Ｙ方向に同じ位置に配されているため、フックテープ４１の上端縁４１ｂ及び下端縁４１ａそれぞれと、シート基材４２の上端縁４２ｂ及び下端縁４２ａそれぞれとは一致している。また、フックテープ４１の全面がシート基材４２の一方の面（肌対向面）に固定されている。そのため、図６に示すように、第１固定部６のＹ方向の上端縁６ｂ及び下端縁６ａそれぞれと、シート基材４２のＹ方向の上端縁４２ｂ及び下端縁４２ａそれぞれとが一致している。具体的には、おむつ１Ｄの第１固定部６は、おむつ１Ｄのフックテープ４１と同一形状であり、Ｘ方向外方側の上底の長さが内方側（中心線ＣＬ側）の下底の長さよりも短い台形状に形成されており、おむつ１Ｄの第１固定部６は、上端縁６ｂと下端縁６ａとの間隔がＸ方向外方に向かって漸次短くなっている。
【００４３】
図６に示すように、第２固定部７における吸収性本体２の長手方向（Ｙ方向）下端縁７ａは、第１固定部６の吸収性本体２の長手方向（Ｙ方向）下端縁６ａよりも吸収性本体２の長手方向（Ｙ方向）上方に位置しており、シート基材４２の吸収性本体２の長手方向（Ｙ方向）下端縁４２ａから離間している。図６に示すように、おむつ１Ｄの第２固定部７は、Ｙ方向に長い長方形状に形成されている。上述したように、おむつ１Ｄの第１固定部６は、Ｘ方向外方側の上底の長さが内方側（中心線ＣＬ側）の下底の長さよりも短い台形状に形成されている。その為、おむつ１Ｄの第２固定部７の下端縁７ａは、図６に示すように、おむつ１Ｄの第１固定部６の下端縁６ａの中で最もＹ方向の最上方に位置する点（下端縁６ａにおけるＸ方向最外方点）よりもＹ方向上方に位置している。
【００４４】
第４実施形態の使い捨ておむつ１Ｄの形成材料について説明する。第４実施形態の使い捨ておむつ１Ｄについては、第１実施形態の使い捨ておむつ１Ａの形成材料と同様である。
【００４５】
上述した本発明の第４実施形態の使い捨ておむつ１Ｄを使用した際の作用効果について説明する。
第４実施形態の使い捨ておむつ１Ｄの効果については、第１実施形態の使い捨ておむつ１Ａの効果と異なる点について説明する。特に説明しない点は、第１実施形態の使い捨ておむつ１Ａの効果と同様であり、第１実施形態の使い捨ておむつ１Ａの効果の説明が適宜適用される。
【００４６】
おむつ１Ｄは、図６に示すように、シート基材４２の下端縁４２ａがＸ方向（幅方向）と平行でなく、Ｘ方向外側に行くに従い上方に位置するように傾いた直線となるよう形成されており、また、シート基材４２の上端縁４２ｂがＸ方向（幅方向）と平行でなく、Ｘ方向外側に行くに従い下方に位置するように傾いた直線となるよう形成されている。その為、ファスニングテープ４が着用中に着用者が脚を引き上げる動作を阻害し難く、また、着用者がお腹を膨らませた時にも圧迫し難い形状となっており、使用感が向上する。
【００４７】
本発明の使い捨ておむつは、上述の第１実施形態の使い捨ておむつ１Ａ、第２実施形態の使い捨ておむつ１Ｂ、第３実施形態の使い捨ておむつ１Ｃ及び第４実施形態の使い捨ておむつ１Ｄに何ら制限されるものではなく、適宜変更可能である。また、上述の第１，第２，第３，第４，第５実施形態の使い捨ておむつにおける各構成要件は、本発明の趣旨を損なわない範囲で、適宜組み合わせて実施できる。
【００４８】
例えば、上述の第１，第２，第３，第４実施形態の使い捨ておむつ１Ａ，１Ｂ，１Ｃ，１Ｄにおいては、図２，図４，図５，図６に示すように、第２固定部７は、Ｙ方向に長い長方形状に形成されているが、長方形状でなくてもよい。第２固定部７が長方形状でない場合に、第２固定部７の下端縁７ａが、第１固定部６の下端縁６ａよりもＹ方向上方に位置しているとは、第２固定部７の下端縁７ａの中で最もＹ方向の最下方に位置する点が、第１固定部６の下端縁６ａの中で最もＹ方向の最上方に位置する点よりもＹ方向上方に位置していることを意味する。
また、上述の第１，第２，第３，第４実施形態の使い捨ておむつ１Ａ，１Ｂ，１Ｃ，１Ｄにおいては、図２，図４，図５，図６に示すように、伸縮性ウエストパネル３が、平面状に拡げた状態において、長方形状であるが長方形状でなくてもよい。
【００４９】
本発明の使い捨ておむつは、幼児又は成人用の使い捨ておむつであってもよい。
【実施例】
【００５０】
以下、本発明を実施例により更に具体的に説明するが、本発明は斯かる実施例に限定されるものではない。
【００５１】
〔実施例１〕
実施例１では、上述した図１，図２に示す第１実施形態に示す構造の使い捨ておむつを作製した。吸収体を含む吸収性本体２には、花王株式会社製のメリーズ（登録商標）さらさらエアスルーを、図１に示すように、伸長させて拡げた状態で長方形状となるようにカットしたものを用いた。
伸縮性ウエストパネル３を構成する長方形状の２枚のシート３１，３２には、坪量１３ｇ／ｍ2のＳＭＳ不織布を用いた。２枚のシート３１，３２は、Ｘ方向の長さが１００ｍｍ、Ｙ方向の長さが８４ｍｍであった。伸縮性ウエストパネル３を構成する複数本の糸状弾性体３３には７８０デシテックスのスパンデックス弾性繊維を用いた。伸縮性ウエストパネル３は、２枚のシート３１，３２の間に、糸状弾性体３３を２００％の伸長倍率に伸長したものをＹ方向に７ｍｍの間隔で配し、Ｙ方向に連続な縞状（塗布部２ｍｍ、非塗布部４ｍｍ）に塗布されたホットメルト接着剤（坪量５０ｇ／ｍ2）で固定して作製した。
ファスニングテープ４を構成する多数の係合突起を有する長方形状のフックテープ４１は、Ｘ方向の長さが２０ｍｍ、Ｙ方向の長さが２５ｍｍであった。ファスニングテープ４を構成する長方形状のシート基材４２には、坪量５５ｇ／ｍ2のＳＭＳ不織布を用いた。シート基材４２は、Ｘ方向の長さが５０ｍｍ、Ｙ方向の長さが３５ｍｍであった。ファスニングテープ４は、フックテープ４１及びシート基材４２を面状に塗布されたホットメルト接着剤（坪量２０ｇ／ｍ2）で固定して作製した。尚、第１固定部６は、フックテープ４１と同一形状の長方形状であった。
【００５２】
ファスニングテープ４及び伸縮性ウエストパネル３は、面状にホットメルト接着剤（坪量２０ｇ／ｍ2）を塗布し、ファスニングテープ４の重心Ｇ１が伸縮性ウエストパネル３の重心Ｇ２よりもＹ方向に２５ｍｍ上方に位置するように、第２固定部７にて固定した。第２固定部７は長方形状であり、Ｘ方向の長さが１０ｍｍ、Ｙ方向の長さが２５ｍｍであった。
第１固定部６と第２固定部７との間隔ｄ１は５ｍｍであり、第２固定部７の下端縁７ａとシート基材４２の下端縁４２ａとの間隔ｄ２は１０ｍｍであった。第１固定部６の最下端点αと第２固定部７の最下端点βを結ぶ直線と中心線ＣＷに平行な仮想直線とのなす角γは６３°であった。
実施例１の使い捨ておむつは、上述のようにファスニングテープ４を固定した伸縮性ウエストパネル３を、面状にホットメルト接着剤（坪量３０ｇ／ｍ2）を塗布して吸収性本体２に固定して作製した。
【００５３】
〔実施例２〕
実施例２では、上述した図４に示す伸縮性ウエストパネル３を有する第２実施形態に示す構造の使い捨ておむつを作製した。実施例２の使い捨ておむつにおいては、間隔ｄ１、なす角γを変更する以外は、実施例１と同様にして使い捨ておむつを作製した。
実施例２の使い捨ておむつにおいては、第１固定部６と第２固定部７との間隔ｄ１は０ｍｍであり、第２固定部７の下端縁７ａとシート基材４２の下端縁４２ａとの間隔ｄ２は１０ｍｍであった。第１固定部６の最下端点αと第２固定部７の最下端点βを結ぶ直線と中心線ＣＷに平行な仮想直線とのなす角γは９０°であった。
【００５４】
〔実施例３〕
実施例３では、上述した図１，２に示す第１実施形態に示す構造の使い捨ておむつを作製した。実施例３の使い捨ておむつにおいては、間隔ｄ１、なす角γを変更する以外は、実施例１と同様にして使い捨ておむつを作製した。
実施例３の使い捨ておむつにおいては、第１固定部６と第２固定部７との間隔ｄ１は１０ｍｍであり、第２固定部７の下端縁７ａとシート基材４２の下端縁４２ａとの間隔ｄ２は１０ｍｍであった。第１固定部６の最下端点αと第２固定部７の最下端点βを結ぶ直線と中心線ＣＷに平行な仮想直線とのなす角γは４５°であった。
【００５５】
〔実施例４〕
実施例４では、上述した図５に示す伸縮性ウエストパネル３を有する第３実施形態に示す構造の使い捨ておむつを作製した。実施例４の使い捨ておむつにおいては、フックテープ４１の形状、シート基材４２の形状、第１固定部６の形状、間隔ｄ２及びなす角γ以外は、実施例１と同様にして使い捨ておむつを作製した。
実施例４に用いるフックテープ４１は、台形状であり、Ｘ方向外方側の上底のＹ方向長さが３６．５ｍｍ下底のＹ方向長さが３８．５ｍｍＸ方向の高さが２０ｍｍであった。実施例４に用いるシート基材４２は、台形状であり、Ｘ方向外方側の上底のＹ方向長さが３５ｍｍ下底のＹ方向長さが４０ｍｍＸ方向の高さが５０ｍｍであった。尚、実施例４の使い捨ておむつにおける第１固定部６は、実施例４に用いるフックテープ４１と同一形状の台形状であった。
実施例４の使い捨ておむつにおいては、第１固定部６と第２固定部７との間隔ｄ１は５ｍｍであり、第２固定部７の下端縁７ａとシート基材４２の下端縁４２ａとの間隔ｄ２は１４ｍｍであった。第１固定部６の最下端点αと第２固定部７の最下端点βを結ぶ直線と中心線ＣＷに平行な仮想直線とのなす角γは７０°であった。
尚、実施例４の使い捨ておむつにおける間隔ｄ２は、第２固定部７の下端縁７ａと第１固定部６の下端縁６ａの中で最もＹ方向の最上方に位置する点との間の距離である。
【００５６】
〔実施例５〕
実施例５では、上述した図６に示す伸縮性ウエストパネル３を有する第４実施形態に示す構造の使い捨ておむつを作製した。実施例５の使い捨ておむつにおいては、フックテープ４１の形状、シート基材４２の形状、第１固定部６の形状、間隔ｄ２及びなす角γ以外は、実施例１と同様にして使い捨ておむつを作製した。
実施例５に用いるフックテープ４１は、台形状であり、Ｘ方向外方側の上底のＹ方向長さが３５．５ｍｍ下底のＹ方向長さが３９．５ｍｍＸ方向の高さが２０ｍｍであった。実施例５に用いるシート基材４２は、台形状であり、Ｘ方向外方側の上底のＹ方向長さが３２．５ｍｍ下底の長さが４２．５ｍｍＸ方向の高さが５０ｍｍであった。尚、実施例５の使い捨ておむつにおける第１固定部６は、実施例５に用いるフックテープ４１と同一形状の台形状であった。
実施例５の使い捨ておむつにおいては、第１固定部６と第２固定部７との間隔ｄ１は５ｍｍであり、第２固定部７の下端縁７ａとシート基材４２の下端縁４２ａとの間隔ｄ２は１４ｍｍであった。第１固定部６の最下端点αと第２固定部７の最下端点βを結ぶ直線と中心線ＣＷに平行な仮想直線とのなす角γは７０°であった。
尚、実施例５の使い捨ておむつにおける間隔ｄ２は、第２固定部７の下端縁７ａと第１固定部６の下端縁６ａの中で最もＹ方向の最上方に位置する点との間の距離である。
【００５７】
〔比較例１〕
比較例１では、図７に示す伸縮性ウエストパネル３を有する使い捨ておむつを作製した。比較例１の使い捨ておむつにおいては、第２固定部７の形状及び間隔ｄ２以外は、実施例１と同様にして使い捨ておむつを作製した。
比較例１の使い捨ておむつにおける第２固定部７は、シート基材４２の上端縁４２ｂと下端縁４２ａとの間に亘る長方形状であった。
比較例１の使い捨ておむつにおいては、第１固定部６と第２固定部７との間隔ｄ１は５ｍｍであり、第２固定部７の下端縁７ａとシート基材４２の下端縁４２ａとの間隔ｄ２は０ｍｍであった。
【００５８】
〔比較例２〕
比較例２では、図８に示す伸縮性ウエストパネル３を有する使い捨ておむつを作製した。比較例１の使い捨ておむつにおいては、第１固定部６の形状、第２固定部７の形状、間隔ｄ２及びなす角γ以外は、実施例１と同様にして使い捨ておむつを作製した。
比較例２の使い捨ておむつにおける第１固定部６は、第１固定部６の下端縁６ａとシート基材４２の下端縁４２ａとの間に間隔１０ｍｍを空けて長方形状に形成した。
比較例２の使い捨ておむつにおける第２固定部７は、シート基材４２の上端縁４２ｂと下端縁４２ａとの間に亘る長方形状であった。
比較例２の使い捨ておむつにおいては、第１固定部６と第２固定部７との間隔ｄ１は５ｍｍであり、第２固定部７の下端縁７ａとシート基材４２の下端縁４２ａとの間隔ｄ２は０ｍｍであった。第１固定部６の最下端点αと第２固定部７の最下端点βを結ぶ直線と中心線ＣＷに平行な仮想直線とのなす角γは１１７°であった。
【００５９】
〔比較例３〕
比較例３では、図９に示す伸縮性ウエストパネル３を有する使い捨ておむつを作製した。比較例３の使い捨ておむつにおいては、第１固定部６の形状以外は、実施例１と同様にして使い捨ておむつを作製した。
比較例３の使い捨ておむつにおける第１固定部６は、第１固定部６の下端縁６ａとシート基材４２の下端縁４２ａとの間に間隔１０ｍｍを空けて長方形状に形成した。
比較例３の使い捨ておむつにおいては、第１固定部６と第２固定部７との間隔ｄ１は５ｍｍであり、第２固定部７の下端縁７ａとシート基材４２の下端縁４２ａとの間隔ｄ２は１０ｍｍであった。
【００６０】
〔比較例４〕
比較例４では、図１０に示す伸縮性ウエストパネル３を有する使い捨ておむつを作製した。比較例４の使い捨ておむつにおいては、フックテープ４１の形状、シート基材４２の形状、第１固定部６の形状、第２固定部７の形状及び間隔ｄ２以外は、実施例１と同様にして使い捨ておむつを作製した。
比較例４に用いるフックテープ４１は、台形状であり、Ｘ方向外方側の上底のＹ方向長さが３２ｍｍ下底の長さが２８ｍｍＸ方向の高さが２０ｍｍであった。比較例４に用いるシート基材４２は、台形状であり、Ｘ方向外方側の上底のＹ方向長さが３５ｍｍ下底のＹ方向長さが２５ｍｍＸ方向の高さが５０ｍｍであった。尚、比較例４の使い捨ておむつにおける第１固定部６は、比較例４に用いるフックテープ４１と同一形状の台形状であった。
比較例４の使い捨ておむつにおいては、第１固定部６と第２固定部７との間隔ｄ１は５ｍｍであり、第２固定部７の下端縁７ａとシート基材４２の下端縁４２ａとの間隔ｄ２は０ｍｍであった。
【００６１】
〔比較例５〕
比較例５では、図１１に示す伸縮性ウエストパネル３を有する使い捨ておむつを作製した。比較例５の使い捨ておむつにおいては、間隔ｄ１、なす角γを変更する以外は、実施例１と同様にして使い捨ておむつを作製した。
比較例５の使い捨ておむつにおいては、第１固定部６と第２固定部７との間隔ｄ１は−５ｍｍであり、第１固定部６と第２固定部７とが重なっていた。また、比較例５の使い捨ておむつにおいては、第２固定部７の下端縁７ａとシート基材４２の下端縁４２ａとの間隔ｄ２は１０ｍｍであった。第１固定部６の最下端点αと第２固定部７の最下端点βを結ぶ直線と中心線ＣＷに平行な仮想直線とのなす角γは１１７°であった。
【００６２】
〔評価〕
実施例１〜５、比較例１〜５の各使い捨ておむつについて、下記の方法により、フックテープ４１とシート基材４２との剥がれ易さを評価すると共に、フックテープ４１の下端縁４１ａの反り返りを評価した。フックテープ４１の下端縁４１ａの反り返りを評価した理由は、着用中にフックテープ４１の下端縁４１ａが反り返ると、おむつの上に着用する服等に引っかかり、着用中にフックテープ４１がターゲットシートから剥がれる起因となるからである。尚、剥がれ易さ及び反り返りのそれぞれについて、実施例１〜５、比較例１〜５の使い捨ておむつを評価した。これらの結果を下記表１に示す。
【００６３】
＜評価方法＞
実施例１の使い捨ておむつを用いて説明する。先ず、実施例１の使い捨ておむつの腹側部を切り出してターゲットシートが上面となるように平面の実験台に固定する。一方でファスニングテープ４が固定された伸縮性ウエストパネル３を吸収性本体２との固定部に沿って切り出し、ファスニングテープ４のフックテープ４１をターゲットシート上に係合させた後、伸縮性ウエストパネル３の吸収性本体２側がターゲットシート幅方向と直交するように保持しながら、ターゲットシートの幅方向に沿って、伸縮性ウエストパネル３が２００％伸長になる状態まで引っ張り、固定する。その状態でフックテープ４１のターゲットシートに対しての反り返り状態を観察した。また、伸縮性ウエストパネル３を伸長状態で５分間放置した後に、フックテープ４１のフックテープ４１とシート基材４２との剥がれ状態を観察した。実施例２〜５、比較例１〜５の使い捨ておむつについても同様に観察した。
【００６４】
＜剥がれ易さの評価＞
下記を基準に判定した。
×××：フックテープの剥離が第１固定部６の下端縁４１ａに沿って点αから４ｍｍ以上。
××：フックテープの剥離が第１固定部６の下端縁４１ａに沿って点αから２〜４ｍｍ。
×：フックテープの剥離が第１固定部６の下端縁４１ａに沿って点αから１〜２ｍｍ。
○：フックテープの剥離が第１固定部６の下端縁４１ａに沿って点αから１ｍｍ以内。
＜反り返りの評価＞
下記を基準に判定した。
×：ターゲットシートに対してフックテープの浮きが認められる。
○：ターゲットシートに対してフックテープの浮きが認められない。
【００６５】
【表１】
0005764316.tif 000002
【００６６】
表１の結果から明らかなように、実施例１〜５の使い捨ておむつは何れも、着用中にフックテープ４１がターゲットシートから剥がれ難いことが分かった。従って、着用者の肌を傷つけ難く、使用感の向上が期待できる。また、表１の結果から明らかなように、実施例１〜５の使い捨ておむつは何れも、着用中にフックテープ４１の下端縁４１ａが反り返り難く、着用中にフックテープ４１がターゲットシートから剥がれ難いことが分かった。従って、使用感の向上が期待できる。
【符号の説明】
【００６７】
１Ａ，１Ｂ，１Ｃ，１Ｄ  展開型の使い捨ておむつ
２  吸収性本体
２Ｓ  Ｙ方向の側部
２ｓ１  側縁
２１  表面シート
２２  裏面シート
２３  吸収体
２４  サイドシート
２５  立体ギャザー形成用の弾性部材
２６  レッグギャザー形成用の弾性部材
３  伸縮性ウエストパネル
３ｓ  外側縁
３１，３２  シート
３３  糸状弾性体
４  ファスニングテープ
４１  フックテープ
４１ｓ  内側縁
４１ａ  下端縁、４１ｂ  上端縁
４２  シート基材
４２ａ  下端縁、４２ｂ  上端縁
６  第１固定部
６ａ  下端縁、６ｂ  上端縁
６ｓ  内側縁
７  第２固定部
７ａ  下端縁、７ｂ  上端縁
７ｓ  外側縁
【図１】
0005764316.tif 000003
【図２】
0005764316.tif 000004
【図３】
0005764316.tif 000005
【図４】
0005764316.tif 000006
【図５】
0005764316.tif 000007
【図６】
0005764316.tif 000008
【図７】
0005764316.tif 000009
【図８】
0005764316.tif 000010
【図９】
0005764316.tif 000011
【図１０】
0005764316.tif 000012
【図１１】
0005764316.tif 000013